(57)【特許請求の範囲】
【請求項１】
ボール部を有するカウンター部の後方上部に主鏡が固定配置されていると共に、主鏡よりも小さな平面の副鏡が、主鏡の裏面部に、上下動により取出しと収納が自在に備えられていることを特徴とする洗面化粧台。
【請求項２】
上下動により取出しと収納が自在とされた副鏡は、取出し時に前方手前にせり出し可能とされていることを特徴とする請求項１記載の洗面化粧台。
【請求項３】
副鏡には照明装置が内蔵されており、副鏡に配設した透光部もしくは開口部より照明可能とされていることを特徴とする請求項１または２記載の洗面化粧台。
【請求項４】
副鏡の取出しとともに照明装置による照明が自動点灯されることを特徴とする請求項３記載の洗面化粧台。
【請求項５】
副鏡は主鏡の横方向の中央部位置に配置されると共に、少くともその片側位置には収納棚が主鏡の裏面部に、上下動により取出しと収納が自在に備えられていることを特徴とする請求項１から４のうちのいずれかの洗面化粧台。
【請求項６】
収納棚の配置位置の前方にカウンター部のボール部が配置されていることを特徴とする請求項１から５のうちのいずれかの洗面化粧台。
【請求項７】
副鏡の配置位置の前方にカウンター部の平板部が配設されていることを特徴とする請求項１から６のうちのいずれかの洗面化粧台。
【発明の詳細な説明】
【技術分野】
【０００１】
本発明は洗面化粧台に関するものである。
【背景技術】
【０００２】
従来から利用されている洗面化粧台は、通常は、少くとも、洗面等のためのボール部とこれを支持するカウンター部、並びにこれらの後方上部に配置された鏡とを有している。利用者は、この洗面化粧台を、洗面や髭剃り、そして化粧等のために利用している。
【０００３】
このような洗面化粧台については、これまでにも様々な観点からその便利性を向上させるための工夫、改善が試みられている。
【０００４】
たとえば、カウンター部後方上部に配置されている鏡を前方にせり出し可能として、化粧時やコンタクトレンズの装着時等に鏡を見やすくしたり、これに伴って鏡を装着した収納棚も前方にせり出させて利用しやすくすること（特許文献１−４）や、手鏡様の補助鏡を開閉自在としたミラーキャビネットの裏面に配置し、ミラーキャビネットを開いた状態で補助鏡を移動接近させて見やすく利用しやすくすること（特許文献５）が提案されている。
【０００５】
また、洗面化粧台の鏡を子供や身長の低い人が利用する場合にも見やすくするために、大鏡とは別に小鏡を設けてこれを上下動自在として下方に降下させた状態で利用できるようにすること（特許文献６）や、椅子に座って化粧等のために鏡を利用する場合にもこれを見やすくするために、主鏡とは別に設けた補助鏡を前方にせり出し可能とする（特許文献７）ことも提案されている。
【０００６】
しかしながら、たとえば特許文献１−５の提案のように鏡やこれを装着したキャビネットを前方にせり出し可能とした洗面化粧台においては、せり出し移動を可能とする鏡キャビネットの大きさや重量にはおのずと制約があり、近年のより大きな平面の、たとえば大きな横長の鏡が求められるような状況には適当ではない。
【０００７】
一方、特許文献６−７の提案のように、主たる鏡とは別に小鏡や補助鏡を設けて移動自在とする場合には、比較的小型、小平面の小鏡や補助鏡を用いることができ、その移動のための機構も簡易とすることができる。しかも特許文献７の提案のようにカウンター部下方にニースペースを配置することで立ち姿勢にも座り姿勢にも対応可能としたという利点がある。しかしながら、近年のより大きな平面の、横長の主たる鏡（大鏡）の設置が求められている場合、これと別に小鏡や補助鏡を配設することは、主たる鏡である大鏡の壁面スペースを制約し、鏡面を分割して一体性を失わせるという問題がある。
【０００８】
このため一枚の鏡面としての一体性を失わせることなく、利便性、外観性を良好として洗面化粧台により大きな平面の、横長の鏡を設置可能とし、しかも立ち姿勢での洗面行為や座り姿勢での化粧行為のいずれにも、あるいは子供や身長の低い人の場合であっても一つの洗面化粧台で対応可能とすることが望まれていた。
【特許文献１】実開昭５４−９７２４２号公報
【特許文献２】特開平１０−２６２８４３号公報
【特許文献３】特開平１１−２４４１６６号公報
【特許文献４】特開２００５−２０５１６０号公報
【特許文献５】特開平５−４２０５４号公報
【特許文献６】特開平８−１９６４４６号公報
【特許文献７】実公平８−３３４６号公報
【発明の開示】
【発明が解決しようとする課題】
【０００９】
そこで、本発明は、以上のような背景から、従来の問題点を解消して、一枚の鏡面としての一体性を失わせることなく、利便性、外観性が良好な、より大きな平面の、横長の鏡を設置可能とし、しかも立ち姿勢での洗面行為や座り姿勢での化粧行為のいずれにも、あるいは子供や身長の低い人の場合であっても一つの洗面化粧台で対応可能とする、新しい技術手段を提供することを課題としている。
【課題を解決するための手段】
【００１０】
本発明の洗面化粧台は、以下の特徴を有している。
【００１１】
第１：ボール部を有するカウンター部の後方上部に主鏡が固定配置されていると共に、主鏡よりも小さな平面の副鏡が、主鏡の裏面部に、上下動により取出しと収納が自在に備えられている。
【００１２】
第２：上下動により取出しと収納が自在とされた副鏡は、取出し時に前方手前にせり出し可能とされている。
【００１３】
第３：副鏡には照明装置が内蔵されており、副鏡に配設した透光部もしくは開口部より照明可能とされている。
【００１４】
第４：副鏡の取出しとともに照明装置により自動点灯される。
【００１５】
第５：副鏡は主鏡の横方向の中央部位置に配置されると共に、少くともその片側位置には収納棚が主鏡の裏面部に、上下動により取出しと収納が自在に備えられている。
【００１６】
第６：収納棚の配置位置の前方にカウンター部のボール部が配置されている。
【００１７】
第７：副鏡の配置位置の前方にカウンター部の平板部が配設されている。
【発明の効果】
【００１８】
上記のとおりの第１の発明によれば、固定した主鏡の裏面部に、スライド機構等で上下動により取出しと収納を自在としていることから、一枚の鏡面としての一体性を失わせることなく、利便性、外観性が良好な、より大きな平面の、横長の主鏡を設置可能とし、しかも立ち姿勢での洗面行為や座り姿勢での化粧行為のいずれにも、あるいは子供や身長の低い人の場合であっても一つの洗面化粧台で対応可能とされる。
【００１９】
また副鏡が取出し時にリンク機構等により前方にせり出し可能とした第２の発明によれば、椅子に座っての化粧やコンタクトレンズの装着等のために鏡に接近することができ、見やすく利用しやすいことになる。
【００２０】
副鏡において照射可能とされる第３の発明によれば、上記の化粧等がより容易となり、鏡の利便性はさらに向上し、副鏡の取出しとともに自動点灯する第４の発明によれば、操作が容易で、しかも照明の切り忘れ少ない洗面化粧台が実現される。
【００２１】
また、大きな平面の、横長の主鏡を用いることが可能になることから、第５の発明のように、主鏡の裏面部に出し入れ自在な収納棚を設置する場合には、外観美観性と、収納物の出し入れの利便性も優れたものとなる。そして、収納棚には前面の扉を設ける必要もなくなる。
【００２２】
収納棚の前方にボール部があるように配置する第６の発明によれば、洗面用具等の利用が便利になる。また、副鏡の前方にカウンター平面部がくるように配置する第７の発明によれば、化粧等がやりやすくなり、しかも、カウンター平板部の下方にニースペースを設けることができ、椅子に座って、足をこのニースペースに入れることができるので、化粧等は無理の少ない姿勢で容易に行えることになる。
【発明を実施するための最良の形態】
【００２３】
本発明は上記のとおりの特徴をもつものであるが、以下にその実施の形態について説明する。
【００２４】
添付した図面の図１は、本発明の一実施形態を例示した外観斜視図である。この図１の実施形態では、二つのボール部１１を有するカウンター部１の後方上部、すなわち、利用者側から見て奥の位置に、横長の大きな平面を有する主鏡（メインミラー）２が固定されている。この主鏡２の固定は、図１の例のように壁面３に対しての固定でもよいし、カウンター部１とフレーム支持（図示は省略）、あるいはキャビネット等による一体化固定であってもよい。
【００２５】
この固定されている主鏡２の裏面部には、図中の矢印のように上下動によって主鏡２の下方への取出しと主鏡２の裏面側への収納が自在とされた副鏡（サブミラー）３が配備されている。
【００２６】
副鏡３は、主鏡２よりもその平面積は小さく、その全体が、あるいは取出し用の手掛け等を除いた主要部が収納時には主鏡２の裏面側にかくれる大きさを有し、また裏面側にかくれるような上下動のための機構が主鏡２の裏面側に備えられている。この上下動のための機構は、たとえば副鏡３の左右のガイドレールに沿ってのリフト（吊下げ）スライド機構やリンク機構等の適宜な手段として構成される。
【００２７】
図２は、副鏡３設置部の概要断面図であるが、この図２に例示したように、たとえば、バネ４を用いた弾発力によるリフト（吊下げ）スライド機構によって副鏡３を上下動自在とすることができる。副鏡３は、このような機構を備えたものとして、主鏡２の裏面部の複数箇所に設置されていてもよい。
【００２８】
また、図示してはいないが、副鏡３は、主鏡２の裏面部より取出した際には、これに備えたリンク機構等によって前方にせり出すようにしてもよい。このようなせり出しのためのリンク機構等は従来の技術からも容易に構成される。
【００２９】
このような前方へのせり出しを可能とする場合には、接近した副鏡によって、化粧やコンタクトレンズの装着等がより容易となる。
【００３０】
そして、図１および図２に例示した実施形態においては、上下動自在とした副鏡３には照明装置５が備えられており、副鏡に配設した切欠き部や端縁部に付加した透光性のガラス、または樹脂板等を具備した透光部６より照明可能とされている。照明装置５は、副鏡３の上下動に付随する可動照明としている。もちろん、このような可動の照明装置５に限られることはなく、主鏡２の裏面部に位置固定された照明装置であってもよい。また、副鏡３の透光部６は適宜な開孔であってもよい。このような照明装置は各種の光源や光導体を用いていてよく、たとえばＬＥＤ、蛍光灯、そして光ファイバー、面発光体等が用いられてよい。
【００３１】
透光部６、あるいは開口による照明は副鏡３平面の適宜な位置で行われてよく、また、照明装置は、たとえば図２に例示したスイッチ７によって、副鏡３が下方に移動すると接点が離れて自動点灯されるようにすることができる。この場合、副鏡３が収納されて、スイッチ７との接点が合わされると自動消灯できるようにしている。このような自動的な点灯・消灯のＯＮ・ＯＦＦ機構は様々であってよい。
【００３２】
以上の実施の形態では、図１に例示したように、副鏡３は主鏡２の横方向の中央部に位置して配置し、その片側位置には、主鏡２の裏面部に、上下動により取出しと収納が自在とされた収納棚８が配設されている。
【００３３】
この収納棚８の上下動のための機構も各種であってよい。たとえば図３の概要断面図に例示されているように、バネ９によるリフトスライド機構とし、収納棚８は、レールに沿って上下スライド可能とし、その下端に設けた操作手の前後への操作によって、スライド停止位置が適宜に定められるようにすることができる。
【００３４】
このような上下動可能とした収納棚８は、副鏡３の片側だけでなく両側に設けることができる。そして、収納棚８については、たとえば図１のようにボール部１１がその前方にあるように配置することが、洗面等の用具、用品の利用の観点からも好ましく一例として示される。
【００３５】
また、副鏡２については、図１のように、その前方にカウンター部１の平板部１２が位置するように配置することが、化粧等を容易とする点からも好ましい一例として示される。そして、さらには、このような場合、平板部１２の下方にはニースペース１４として足の入る空間を設けることで、椅子に座ってこれに足を入れての無理の少ない姿勢での化粧等が可能とされる。
【００３６】
もちろん、本発明は以上の例に限定されることはなく、その実施において様々な形態が可能であることは言うまでもない。
【図面の簡単な説明】
【００３７】
【図１】本発明の実施の形態を例示した斜視図である。
【図２】図１における副鏡配置部の断面図である。
【図３】図１における収納棚配置部の断面図である。
【符号の説明】
【００３８】
１  カウンター部
１１  ボール部
１２  平板部
２  主鏡
３  副鏡
４  バネ
５  照明装置
６  透光部
７  スイッチ
８  収納棚
９  バネ
１３  操作手
１４  ニースペース
【図１】
0004513768.tif 000002
【図２】
0004513768.tif 000003
【図３】
0004513768.tif 000004